(57)【特許請求の範囲】
【請求項１】
７本以上のストランドを同一方向、同一ピッチで撚り合わせたスチールコードにおいて、互いに隣接した３角形の配置となる３本のストランドのうち少なくとも１本が、略平行に引きそろえられた２本のフィラメントからなるストランドであり、残りが単一フィラメントであるストランドからなるスチールコードであり、かつそれぞれのストランドにおける２本のフィラメントの引きそろえ方向が、コードの長手方向に渡って互いに略同一であるゴム物品補強用スチールコード。
【請求項２】
上記請求項１において、すべてのストランドが、略平行に引きそろえられた２本のフィラメントからなるストランドである請求項１に記載のゴム物品補強用スチールコード。
【請求項３】
上記請求項１において、単一のフィラメントの径をＤｍ、２本の略平行なフィラメントから構成されるストランドにおけるフィラメントの径をＤｄとすると、
Ｄｄ  ≦  Ｄｍ  ≦  ２Ｄｄ
という関係を持つ請求項１、２に記載のゴム物品補強用スチールコード。
【請求項４】
上記請求項１〜３におけるスチールコードを、空気入りタイヤのベルト層に用い、かつ前記２本の略平行なフィラメントから構成されるストランドにおける２本のフィラメントの引きそろえ方向がベルト層の幅方向と略同一である空気入りタイヤ。
【発明の詳細な説明】
【０００１】
【発明の属する技術分野】
この発明は、工業用ベルト等のゴム物品の補強材として使用されるスチールコードおよびそれを使用した空気入りタイヤに関するものである。
【０００２】
【従来の技術】
従来、ゴム製品の補強のため、ゴムに埋設して用いられるスチールコードにおいては、カットが入った際に水分などがコード長手方向に伝播し、腐食が拡がらないように、ゴムがコード内部まで浸透することが要求される。
【０００３】
特にストランドを同一方向、同一ピッチで撚り合わせるコンパクトコードについては、生産性が良いというメリットがあるが、ゴム複合体の補強剤として用いた場合には、ゴムがコード内部に浸透しにくく、タイヤ等に使用した場合、ゴムと接着していないコード内部の素線がコード外にくり出してしまい（ウォーキングワイヤ）、パンクに至る場合もあった。
これに対し、コードを構成するストランドの径を規定することにより、素線間に隙間ができる構造とし、ゴムが内部へ浸透できるよう工夫したコンパクトコードが知られている。
【０００４】
しかしこのようにしてゴム浸透を改良したコードは、ウォーキングワイヤーを防ぐことはできても、ゴム浸透が完全でないために、水分などがコード長手方向に伝播し、腐食が広がることを阻止するには不十分である。
【０００５】
【発明が解決しようとする課題】
本発明の目的は、特に内部までゴムの侵入しにくいコンパクト構造をもつスチールコードでありながら、ゴム侵入性に優れ、耐腐食伝播性及び耐座屈疲労性に優れたスチールコードを得ること、またさらにそれを使用することによって、耐久性及び軽量化を達成した空気入りラジアルタイヤに関するものである。
【０００６】
【課題を解決するための手段】
上記目的を達成するために、この発明においては、
（１）  ７本以上のストランドを同一方向、同一ピッチで撚り合わせたスチールコードにおいて、互いに隣接した３角形の配置となる３本のストランドのうち少なくとも１本が、略平行に引きそろえられた２本のフィラメントからなるストランドであり、残りが単一フィラメントであるストランドからなるスチールコードであり、かつそれぞれのストランドにおける２本のフィラメントの引きそろえ方向が、コードの長手方向に渡って互いに略同一であるゴム物品補強用スチールコード。
【０００７】
（２）  上記（１）において、すべてのストランドが、略平行に引きそろえられた２本のフィラメントからなるストランドである（１）に記載のゴム物品補強用スチールコード。
【０００８】
（３）  上記（１）、（２）において、通常のフィラメントの径をＤｍ、２本の略平行なフィラメントから構成されるストランドにおけるフィラメントの径をＤｄとすると、
Ｄｄ  ≦  Ｄｍ  ≦  ２Ｄｄ
という関係を持つ（１）、（２）に記載のゴム物品補強用スチールコード。
【０００９】
（４）  上記（１）〜（３）におけるスチールコードを、空気入りタイヤのベルト層に用い、かつ前記２本の略平行なフィラメントから構成されるストランドにおける２本のフィラメントの引きそろえ方向がベルト層の幅方向と略同一である空気入りタイヤ。
と、以上の手段を用いたものである。
【００１０】
【発明の実施の形態】
本願発明は以下の作用による。すなわち従来からある１＋５（図１１）構造のスチールコードにゴムが浸透できない空隙部分ができるように、コンパクトコード、さらにはシース間に隙間ができるように設定された異線径のコンパクトコード（図１２）にしても、シースに偏りが生じて、ａ、ｂのようなゴムが浸透できない空隙部分ができ、そのような空隙は、各ストランドが同一方向同一ピッチで撚られることにより長手方向に続いているため、カット等により水分が侵入した際に腐食部分が拡がっていってしまうことになる。
【００１１】
ここで本発明のスチールコードは、互いに隣接した３角形の配置となる３本の素線のうち少なくとも１本が、略平行に引きそろえられた２本のフィラメントからなるストランドをもちいることによって、３本のストランドに囲まれてゴムが浸透しなかった部分にゴムが浸透することとなり、水分等の伝播が阻止され、腐食が拡散しにくくなる。ここで図１等に示されているフィラメント間を結ぶ線は、その２本のフィラメントが引きそろえられたものであることを示す。
【００１２】
さらに、ストランドが２本のフィラメントを略平行に引きそろえた構造であり、かつそれぞれのストランドにおける２本のフィラメントの引きそろえ方向が、コードの長手方向に渡って互いに略同一であるため、コードを一定方向に偏平とすることができ、例えば空気入りタイヤのベルト層に用いた場合は、ベルト層のゲージを薄くすることができ、製品の軽量化、コンパクト化を達成できる。
【００１３】
ここで本発明の構成において、互いに隣接した３角形の配置となる３本のストランドのうち少なくとも１本が、略平行に引きそろえられた２本のフィラメントからなるストランドをもちいた理由は、平行とすることでこのコードを１つの工程で撚ることができ、かつ他の素線との接触配置が長手方向で変わっていくことによって（図１３Ａ→Ｂ→Ｃ）、遮蔽されない部分ができ、ここでゴムが内部まで浸透し、水分の伝播を阻止できるのである。
【００１４】
本願発明において更にゴムを浸透しやすくするためには、構成する各フィラメントまたはストランド自体に波形やらせん形の型つけをしてもよい
【００１５】
またコードの引きそろえを良くし、更にゲージを薄くし、また強度を高めるために、すべてのストランドの構成を２本のフィラメントを略平行に引きそろえたストランドとすることが好ましい。
【００１６】
さらに本願発明においては、シースを構成する１本からなるフィラメントの径をＤｍ、２本の略平行なフィラメントから構成されるストランドにおけるフィラメントの径をＤｄとすると、Ｄｄ≦Ｄｍ≦２Ｄｄという関係を持つようにすることが、フィラメント同士の強力負担及びコードの製造上好ましい。
【００１７】
【実施例】
表１に従うスチールコードからなるベルトを備える、サイズ１０．００Ｒ２０のトラック、バス用ラジアルタイヤを試作し、それぞれのタイヤについて、耐腐食伝播性、耐座屈疲労性についての試験を行った。その結果を下表に併記する。なお耐腐食伝播性は、悪路走行で走行させ完全に摩耗したタイヤについて、外傷を受けた部分のカット部から拡がった腐食部分の長さの最大値をコード方向に測定したのもである。また耐座屈疲労性は、同様に完全に摩耗したタイヤからコードを取り出し、回転曲げ疲労試験の疲労限界歪みを指数で表したものである。
【００１８】
【表１】
0003576668.tif 000002
【００１９】
【表２】
0003576668.tif 000003
【００２０】
【発明の効果】
この発明のゴム物品補強用スチールコードによれば、コード内部にまでゴムが侵入し、耐腐食伝播性、耐座屈疲労性に優れたコードを得ることができる。またそのコードを空気入りラジアルタイヤのベルト層に適応することにより、軽量化に優れた空気入りタイヤを得ることができる。
【００２１】
【図面の簡単な説明】
【図１】この発明に従うスチールコードの断面図である。
【図２】この発明に従うスチールコードの断面図である。
【図３】この発明に従うスチールコードの断面図である。
【図４】この発明に従うスチールコードの断面図である。
【図５】この発明に従うスチールコードの断面図である。
【図６】この発明に従うスチールコードの断面図である。
【図７】この発明に比較するスチールコードの断面図である。
【図８】この発明に比較するスチールコードの断面図である。
【図９】この発明に比較するスチールコードの断面図である。
【図１０】この発明に比較するスチールコードの断面図である。
【図１１】通常の１＋５構造のスチールコードの断面図である。
【図１２】通常の異線径コンパクトコードの断面図である。
【図１３】この発明に従うスチールコードの説明図である。
【符号の説明】
１  フィラメント
２  ストランド
ａ  フィラメント間空隙
ｂ  フィラメント間空隙
【図１】
0003576668.tif 000004
【図２】
0003576668.tif 000005
【図３】
0003576668.tif 000006
【図４】
0003576668.tif 000007
【図５】
0003576668.tif 000008
【図６】
0003576668.tif 000009
【図７】
0003576668.tif 000010
【図８】
0003576668.tif 000011
【図９】
0003576668.tif 000012
【図１０】
0003576668.tif 000013
【図１１】
0003576668.tif 000014
【図１２】
0003576668.tif 000015
【図１３】
0003576668.tif 000016